(57)【特許請求の範囲】
【請求項１】
外周面が下端に向けて径小となる中空のくさび状先端部とこのくさび状先端部の段部から上端までの筒状本体部とを備え、下端から筒状本体部の途中まで軸線方向に沿って複数のスリットを形成し、内周面に雌ねじ部を形成してナット部材を構成し、床下地パネルにナット部材の筒状本体部の外径とほぼ同一径の穴を形成し、この穴に上方からナット部材のくさび状先端部を縮径した状態で通過させて床下地パネル下面にくさび状先端部の段部を接触させて穴にナット部材を取付け、ナット部材に下面に緩衝体が取付けられた支持脚をねじ込んでコンクリートスラブなどの床基盤に支持脚の緩衝体を接地させた床支持構造において、
前記筒状本体部の上端側外周面に複数のくさび片を形成し、
これらくさび片を床下地パネルの穴の内周面に食い込ませたことを特徴とする床支持構造。
【請求項２】
外周面が下端に向けて径小となる中空のくさび状先端部とこのくさび状先端部の段部から上端までの筒状本体部とを備え、下端から筒状本体部の途中まで軸線方向に沿って複数のスリットを形成し、内周面に雌ねじ部を形成してナット部材を構成し、床下地パネルにナット部材の筒状本体部の外径とほぼ同一径の穴を形成し、この穴に上方からナット部材のくさび状先端部を縮径した状態で通過させて床下地パネル下面にくさび状先端部の段部を接触させて穴にナット部材を取付け、ナット部材に下面に緩衝体が取付けられた支持脚をねじ込んでコンクリートスラブなどの床基盤に支持脚の緩衝体を接地させた床支持構造において、
前記ナット部材の雌ねじ部に筒状の支持脚をねじ込み、
この支持脚の筒体部の中空部内に仕切壁を形成し、
前記支持脚筒体部の下端に内側に延びる複数の爪を形成し、
前記緩衝体にかぶせたキャップを爪を乗り越えて前記仕切壁に接触させ、
前記支持脚を回転させたとき仕切壁がキャップの頂部を滑って回転し支持脚のみが回転することを特徴とする床支持構造。
【請求項３】
前記爪の各両側にスリットを形成したことを特徴とする請求項２に記載の床支持構造。
【請求項４】
前記キャップの頂部に切欠きを形成し、胴部の内周面のこの切欠きに相当する個所に小爪を形成したことを特徴とする請求項２又は３に記載の床支持構造。
【発明の詳細な説明】
【０００１】
【発明の属する技術分野】
この発明は、集合住宅、体育館などにおいて、コンクリートスラブなどの床基盤から支持脚により所定の高さを保って施工される床構造、所謂乾式二重床構造に適用して好適な床支持構造に関する。
【０００２】
【従来の技術】
従来の乾式二重床構造における床支持構造としては、図１６に示すように床下地パネル１００にあけた穴１０１に内周面に雌ねじ部１０２が形成された筒金具１０３を挿入し、この筒金具１０３の下端に形成されたフランジ部１０４を床下地パネル１００の下面に固着し、ボルト１０５の上端側の雄ねじ部１０５Ａを筒金具１０３の雌ねじ部１０２に下方側からねじ込み、ボルト１０５の下端側の雄ねじ部１０５Ｂを受金具１０６の雌ねじ部にねじ込んだものが知られている。この受金具１０６にはゴムなどの緩衝体１０７を取付けてある。また、雄ねじ部１０５Ａと１０５Ｂとは互いに逆ねじとしてある。
【０００３】
また別の従来例としては、図１７に示すように、床下地パネル１００の穴１０１に筒金具１０３の上部を挿入し、フランジ１０４を筒金具１０３の上端寄りに形成し、フランジ１０４と筒金具１０３とにリブ１０８を設け、床下地パネル１００の穴１０１の上方から筒金具１０３に脚部１０９を挿入し、脚部１０９の上部に形成された雄ねじ部１０９Ａを雌ねじ部１０２にねじ込むようにしたものが知られている。脚部１０９の下端にはゴムなどの緩衝体１１０が設けてある。
【０００４】
【発明が解決しようとする課題】
図１６に示す従来例では、施工する際、床下地パネル１００の下面からボルト１０５及び受金具１０６付きの緩衝体１０７を取付けなければならなかった。また、床上に予め重量物が載置される場所や間仕切りの設置場所がわかっていて、当該個所に補強用の脚部を設ける場合には、位置出しを行ない、すなわち穴１０１を床下地パネル１００に予め形成し、パネル１００の下面からボルト１０５及び受金具１０６付きの緩衝体１０７を取付ける必要があった。また、床が完成した後に補強用の脚部を設ける場合には、床を解体する必要があった。
【０００５】
図１７に示す従来例は、床上面から脚部１０９を挿入することができ、補強すべき個所が予めわかっているときには、穴１０９とフランジ１０４付きの筒金具１０３を設けておけばよいが、床完成後に補強用の脚部を設けようとする場合には、筒金具１０３とフランジ１０４とから成る部材は、床下地パネル１００の下面からしか取付けられないので、床を解体する必要があった。フランジ１０４は床下地パネル１００を支持する部材であり、従来不可欠のものであった。
【０００６】
そこで、この発明は、補強などのために支持脚増設を行う場合、捨張材を設けた後や床完成後であっても床を解体することなく、床上面から容易に支持脚増設のできる床支持構造を提供することを目的とする。
【０００７】
【課題を解決するための手段】
上述の目的を達成するため、この発明は、外周面が下端に向けて径小となる中空のくさび状先端部とこのくさび状先端部の段部から上端までの筒状本体部とを備え、下端から筒状本体部の途中まで軸線方向に沿って複数のスリットを形成し、内周面に雌ねじ部を形成してナット部材を構成し、床下地パネルにナット部材の筒状本体部の外径とほぼ同一径の穴を形成し、この穴に上方からナット部材のくさび状先端部を縮径した状態で通過させて床下地パネル下面にくさび状先端部の段部を接触させて穴にナット部材を取付け、ナット部材に下面に緩衝体が取付けられた支持脚をねじ込んでコンクリートスラブなどの床基盤に支持脚の緩衝体を接地させた床支持構造において、前記筒状本体部の上端側外周面に複数のくさび片を形成し、これらくさび片を床下地パネルの穴の内周面に食い込ませたものである。
【０００８】
【発明の実施の形態】
以下に、この発明の好適な実施例について図面を参照にして説明する。
【０００９】
図１に示す実施例において、床下地パネル１の穴２に対し上方からナット部材３を挿入して取付け、このナット部材３の内周面に形成された雌ねじ部３１に支持脚４を上方からねじ込む。この支持脚４の外周面には雄ねじ部４１が形成され、この雄ねじ部４１が前記雌ねじ部３１にねじ込まれる。支持脚４の上端部には溝４２が形成され、この溝４２にマイナスのドライバーなどの刃先を差し込んで支持脚４を回転させる。支持脚４の下端にはゴム、弾性樹脂、金属ばねなどの緩衝体５が取付けてある。緩衝体５はコンクリートスラブなどの床基盤１０に接地される。図１では、支持脚４の施工途中を示すものであり、支持脚４をさらに回転させて緩衝体５を床基盤１０に接地させる。緩衝体５の外径は、ナット部材３の中空部内を通過できるように支持脚４の外径よりも大きくしない。
【００１０】
図２はナット部材３を床下地パネル１の穴２に取付ける前の状態を示し、外周面が下端に向けて径小となる中空のくさび状先端部３２と、このくさび状先端部３２の段部３３から上端までの筒状本体部３４とを備え、下端から筒状本体部３４の途中まで軸線方向に沿って複数のスリット３５を形成し、内周面には雌ねじ部３１が形成されている。このナット部材３に対し、支持脚４及びその下端に取付けられた緩衝体５が上方から挿入されねじ込まれ、緩衝体５と支持脚４とが床下地パネル１の下方に突出される。
【００１１】
図３は、ナット部材３を床下地パネル１の穴２に対し上方から挿入している途中の断面を示し、穴２は筒状本体部３４の外径とほぼ同一径とする。この状態において、くさび状先端部３２は縮径した状態で穴２を通過する。
【００１２】
図４は図３に示す状態からさらにナット部材３を押し下げた状態であり、縮径されたくさび状先端部３２が元に戻り、段部３３が床下地パネル１の下面に接触した状態を示す。この段部３３が床下地パネル１にかかる荷重を支持脚４とともに支持することとなる。
【００１３】
図５はナット部材３の底面図を示し、等間隔で６本のスリット３５を形成した状態を示す。スリット３５の本数やスリット幅は、くさび状先端部３２が穴２内を通過可能となるように設計される。
【００１４】
図１乃至図５に示す実施例において、支持脚４で床下地パネル１を床基盤１０上に支持した状態において、床下地パネル１上には一般的には捨張材（図示せず）が取付けられ、この捨張材の上面に仕上材（図示せず）が取付けられる。あるいは床下地パネル１の上面に直接仕上材を貼り付けることもできる。捨張材あるいは仕上材を貼り付けた後であっても、補強すべき個所に支持脚４をさらに設けたい場合には、その個所に穴２を形成し、上方からナット部材３を穴２へ圧入し、同じく上方からナット部材３に支持脚４をねじ込むことができる。捨張材や仕上材を貼り付けた後に穴２をあけた場合、仕上材の個所の穴は簡単に補修することができる。また、捨張材や仕上材を貼り付ける前であれば、床下地パネル１の所定の個所に穴をあけるだけでよく、補修作業は不要である。
【００１５】
図６に示すナット部材３は、筒状本体部３４の上端側外周面に複数のくさび片３６を形成した例を示し、これらくさび片３６が床下地パネル１の穴２の内周面に食い込んでナット部材３の穴２に対する固着を強固にし、抜け防止を図ったものを示す。
【００１６】
図７に示すナット部材３は、筒状本体部３４の上端側にテーパー部３７を形成したものを示し、このテーパー部３７が穴２に圧入されることによりナット部材３の強固な固着と抜け防止を図っている。
【００１７】
ナット部材３は、雌ねじ部３１が形成できる材料であって、スリット３５の形成によりくさび状先端部３２が縮径できるものであれば、金属材料やプラスチック材料など種々のものが使用可能である。
【００１８】
図８に示す他の実施例は、ナット部材３の雌ねじ部３１に筒状の支持脚４がねじ込まれるようになっている。この支持脚４は筒体部４３の中空部内に仕切壁４４を形成してあり、筒体部４３の下端には内側に延びる爪４５を形成してある。緩衝体５の頭部にはキャップ５５をかぶせてあり、このキャップ５５が仕切壁４４と爪４５との間の中空部に嵌まり込むようになっている。この支持脚４は、図９ないし図１１に示すように、３本の爪４５の各両側にスリット４６が形成してあり、爪４５を乗り越えてキャップ５５が嵌まり込むようになっている。また、キャップ５５は、図１３ないし図１５に示すように、頂部５５Ａに３ヶ所の切欠き５５Ｂを形成し、胴部５５Ｃの内周面の３ヶ所に小爪５５Ｄを形成してある。小爪５５Ｄは切欠き５５Ｂに相当する個所に形成してあり、これら小爪５５Ｄが緩衝体５にくい込んで緩衝体５からの離脱を防止している。
【００１９】
図８ないし図１５に示す実施例において、支持脚４を回転させたとき、キャップ５５に接触する仕切壁４４はキャップ５５の頂部５５Ａを滑って回転し、キャップ５５及び緩衝体５を回転させることなく支持脚４のみが回転する。支持脚４の回転によりナット部材３及び床下地パネル１が上昇又は下降する。
【００２０】
【発明の効果】
以上説明したように、この発明によれば、ナット部材は床下地パネルの上方から挿入することができるので、間仕切りや重量物を置くための補強用の支持脚が床施工後でも容易に床上面から追加施工することができる。特に、集合住宅などにおいて床が先に施工される場合は、捨張材を取付けたあとでも間仕切り用の補強用支持脚が取付けられるため、集合住宅全体としての施工が大幅に簡略化される。また、床下地パネルを支持するナット部材の取付けに際して釘やビスあるいは接着を必要としないため、施工が簡略化される。さらに、一般的な際根太構造に比べて緩衝体を容易に取付けることができるため、遮音性能も確保できる。また、くさび片を床下地パネルの穴の内周面に食い込ませたので、ナット部材の穴に対する固着を強固にし、抜け防止が図れる。
【図面の簡単な説明】
【図１】この発明の好適な実施例を示す施工途中の断面図。
【図２】支持脚及びナット部材の分解斜視図。
【図３】ナット部材を床下地パネル上方から圧入する途中の断面図。
【図４】ナット部材圧入後の断面図。
【図５】ナット部材の底面図。
【図６】ナット部材の変形例を示す斜視図。
【図７】ナット部材の他の例を示す斜視図。
【図８】他の実施例を示す断面図。
【図９】支持脚の平面図。
【図１０】支持脚の正面図。
【図１１】支持脚の底面図。
【図１２】図９のＡ−Ａ線端面図。
【図１３】キャップの平面図。
【図１４】図１３のＢ−Ｂ線断面図。
【図１５】キャップの底面図。
【図１６】従来例を示す一部破断の正面図。
【図１７】他の従来例を示す一部破断の正面図。
【符号の説明】
１  床下地パネル
２  穴
３  ナット部材
４  支持脚
５  緩衝体
１０  床基盤
３１  雌ねじ部
３２  くさび状先端部
３３  段部
３４  筒状本体部
３５  スリット
４１  雄ねじ部
【図１】
0003734001.tif 000002
【図２】
0003734001.tif 000003
【図３】
0003734001.tif 000004
【図４】
0003734001.tif 000005
【図５】
0003734001.tif 000006
【図６】
0003734001.tif 000007
【図７】
0003734001.tif 000008
【図８】
0003734001.tif 000009
【図９】
0003734001.tif 000010
【図１０】
0003734001.tif 000011
【図１１】
0003734001.tif 000012
【図１２】
0003734001.tif 000013
【図１３】
0003734001.tif 000014
【図１４】
0003734001.tif 000015
【図１５】
0003734001.tif 000016
【図１６】
0003734001.tif 000017
【図１７】
0003734001.tif 000018